(57)【要約】【課題】必要部品点数の増加を招くことなく全流量域において有効な旋回流を得ることができ、しかも、弁装置側のポート位置に制約を与えることなく、弁装置における流体流動音を低減すること。【解決手段】弁室１２が円筒状空間をなし、弁ポートである出口ポート１４が弁室１２の底部中央に開口し、弁体３０の弁軸ガイド部材２０に、入口ポート１３より弁室１２に流入する流体に旋回流速度成分を付与する旋回偏向案内形状部２６が形成されている。【選択図】図１
2006071186.tif 000002
【特許請求の範囲】
【請求項１】
弁ハウジングに弁室と前記弁室に開口した入口ポートおよび出口ポートとを有し、前記出口ポートが弁ポート形状をなし、前記弁室内に弁体が配置され、当該弁体は弁軸部を有し、前記弁軸部が前記弁ハウジングに取り付けられた弁軸ガイド部材の筒状部に軸線方向に移動可能に嵌合していることにより、前記弁体が前記弁軸ガイド部材より軸線方向に移動可能に支持され、当該弁体の軸線方向移動によって前記出口ポートの実効開口面積を増減し、流体の通過量を調節する弁装置において、
前記弁室は円筒状空間をなし、前記出口ポートは前記弁室の底部中央に開口し、前記弁軸ガイド部材に、前記入口ポートより前記弁室に流入する流体に旋回流速度成分を付与する旋回偏向案内形状部が形成されている弁装置。
【請求項２】
前記入口ポートが前記弁室の側周部に開口し、当該入口ポートに対向する位置を含んで前記旋回偏向案内形状部が形成されている請求項１記載の弁装置。
【請求項３】
前記入口ポートが前記弁室の底部の偏心位置に開口し、前記旋回偏向案内形状部は当該入口ポートを内包して前記弁室の側周部との間に旋回通路を形成している請求項１記載の弁装置。
【請求項４】
前記入口ポートが前記弁室の側周部に開口し、前記旋回偏向案内形状部は当該入口ポートに対向する位置を含んで形成され、前記弁室を底部側領域と当該底部側領域より上位の上部側領域とに区分する上向き螺旋状の隔壁部を有し、前記隔壁部の一部に前記上部側領域と前記底部側領域とを連通する開口部が設けられている請求項１記載の弁装置。
【請求項５】
前記出口ポートあるいは当該出口ポートに接続される管継手の内周面に旋回流生成用の突起部を有する請求項１〜４の何れか１項記載の弁装置。
【請求項６】
前記出口ポートと並列の流路関係で、前記出口ポートの通路横断面積より小さい通路横断面積のバイパス通路を有し、当該バイパス通路に整流消音部材が設けられている請求項１〜５の何れか１項記載の弁装置。
【請求項７】
電動モータと、前記電動モータによって回転駆動され回転運動を軸線方向の運動に変換する送りねじ機構とを有し、前記送りねじ機構によって前記弁体が軸線方向に駆動される電動式コントロールバルブである請求項１〜６の何れか１項記載の弁装置。
【請求項８】
請求項１〜７の何れか１項記載の弁装置を冷媒回路中に有する冷凍サイクル装置。
【発明の詳細な説明】
【技術分野】
【０００１】
この発明は、弁装置および冷凍サイクル装置に関し、特に、冷凍サイクル装置の冷媒回路など、液相と気相が混在した２相流を含む流体回路で用いられる弁装置および空気調和装置や冷凍・冷蔵庫等の冷凍サイクル装置に関するものである。
【背景技術】
【０００２】
冷凍サイクル装置の電動膨張弁等として用いられる弁装置として、弁ハウジングに弁室と前記弁室に開口した入口ポートおよび出口ポートとを有し、前記出口ポートが弁ポート形状をなし、前記弁室内に弁体が配置され、ステッピングモータ駆動の送りねじ機構によって前記弁体を軸線方向に移動させ、当該弁体の軸線方向移動によって前記出口ポートの実効開口面積を増減し、流体の通過量を調節する電動式の弁装置がある（例えば、特許文献１）。
【０００３】
冷凍サイクル装置の凝縮器から膨張弁へ送られる冷媒は、完全な液冷媒でなく、液相と気相が混在した２相冷媒であり、膨張弁を気液２相流が流れる。このような場合、液相と気相が弁ポートを不規則に通過することになり、このことによって弁室内の圧力変動が発生しやすく、流体通過時の騒音（流体流動音）の発生の原因となる。
【０００４】
また、弁ポートの軸方向に対して直角方向からの弁ポートに流体が導入することから、弁ポートに流れ込む向きによって流体の状態が不均一になる。このことも弁室内の圧力変動の原因の一つとなっており、流体流動音の増大を招く。
【０００５】
この種の流体流動音の低減策として、弁座面に形成した接線方向溝や傾斜貫通孔等によって弁ポートを通過する流体の流れを旋回流とすることにより、整流効果を得て圧力変動を緩和することが提案されている（例えば、特許文献２、３）。
【０００６】
また、弁室手前の円筒通路に対して接線方向に開口した入口通路より流体を円筒通路内に導入することによって円筒通路内で旋回流を作り、遠心分離効果によって液冷媒とガス冷媒とを分離し、弁室には専ら液冷媒が入るようにして流体流動音の低減を図った膨張弁がある（例えば、特許文献４）。
【０００７】
しかし、上述したような従来のものは、低流量域でしか有効な旋回流を得ることができない、必要部品点数が増え、構造が複雑になる、弁装置側のポート位置の制約から配管に細工を施さなくてはならない等の不具合、問題がある。
【特許文献１】特許第２６１５０２１号公報
【特許文献２】特開平１０−６１８０５号公報
【特許文献３】特開２００４−１０８７６４号公報
【特許文献４】特開２００４−１３８３１８号公報
【発明の開示】
【発明が解決しようとする課題】
【０００８】
この発明が解決しようとする課題は、必要部品点数の増加を招くことなく全流量域において有効な旋回流を得ることができ、しかも、弁装置側のポート位置に制約を与えることなく、弁装置における流体流動音を低減することである。
【課題を解決するための手段】
【０００９】
この発明による弁装置は、弁ハウジングに弁室と前記弁室に開口した入口ポートおよび出口ポートとを有し、前記出口ポートが弁ポート形状をなし、前記弁室内に弁体が配置され、当該弁体は弁軸部を有し、前記弁軸部が前記弁ハウジングに取り付けられた弁軸ガイド部材の筒状部に軸線方向に移動可能に嵌合していることにより、前記弁体が前記弁軸ガイド部材より軸線方向に移動可能に支持され、当該弁体の軸線方向移動によって前記出口ポートの実効開口面積を増減し、流体の通過量を調節する弁装置において、前記弁室は円筒状空間をなし、前記出口ポートは前記弁室の底部中央に開口し、前記弁軸ガイド部材に、前記入口ポートより前記弁室に流入する流体に旋回流速度成分を付与する旋回偏向案内形状部が形成されている。
【００１０】
この発明による弁装置は、好ましくは、前記入口ポートが前記弁室の側周部に開口し、当該入口ポートに対向する位置を含んで前記旋回偏向案内形状部が形成されている。
【００１１】
この発明による弁装置は、好ましくは、前記入口ポートが前記弁室の底部の偏心位置に開口し、前記旋回偏向案内形状部は当該入口ポートを内包して前記弁室の側周部との間に旋回通路を形成している。
【００１２】
この発明による弁装置は、好ましくは、前記入口ポートが前記弁室の側周部に開口し、前記旋回偏向案内形状部は当該入口ポートに対向する位置を含んで形成され、前記弁室を底部側領域と当該底部側領域より上位の上部側領域とに区分する上向き螺旋状の隔壁部を有し、前記隔壁部の一部に前記上部側領域と前記底部側領域とを連通する開口部が設けられている。
【００１３】
この発明による弁装置は、更に、前記出口ポートあるいは当該出口ポートに接続される管継手の内周面に旋回流生成用の突起部を有する。
【００１４】
この発明による弁装置は、更に、前記出口ポートと並列の流路関係で、前記出口ポートの通路横断面積より小さい通路横断面積のバイパス通路を有し、当該バイパス通路に整流消音部材が設けられている。
【００１５】
この発明による弁装置は、更に、電動モータと、前記電動モータによって回転駆動され回転運動を軸線方向の運動に変換する送りねじ機構とを有し、前記送りねじ機構によって前記弁体が軸線方向に駆動される電動式コントロールバルブである。
【００１６】
この発明による冷凍サイクル装置は、上述の発明による弁装置を冷媒回路中に有する。
【発明の効果】
【００１７】
この発明による弁装置は、入口ポートより弁室に流入する流体に、旋回偏向案内形状部によって旋回流速度成分が付与され、弁室内に流入した流体は旋回流になって弁ポートをなす出口ポートへ流れる。これにより、液相と気相が混在した気液２相流が攪拌され、液相中の気相が細分化され、整流されて出口ポートへ流れる。また、気液２相流が液相と気相に分離され、専ら液相が出口ポートに導入される作用も得られる。これらのことにより、弁装置における流体流動音が低減する。
【００１８】
そして、旋回偏向案内形状部は弁軸ガイド部材に形成されているから、必要部品点数の増加を招くことなく全流量域において有効な旋回流を得ることができ、しかも、弁ハウジングのポート位置配置に制約を与えることもない。
【発明を実施するための最良の形態】
【００１９】
この発明による弁装置を電動式コントロールバルブとして適用した一つの実施形態を、図１、図２を参照して説明する。
【００２０】
図１に示されているように、この実施形態の電動式コントロールバルブは、全体を符号１０で示している。電動式コントロールバルブ１０は金属製の弁ハウジング１１を有する。弁ハウジング１１は、上方開口のカップ形状をなしており、円筒状空間をなす弁室１２と、弁ハウジング１１の側周壁部１１Ｂの弁室１２に位置する部分（弁室の側周部）に開口した入口側継手ポート１８と、弁ハウジング１１の底壁部１１Ｃの弁室１２に位置する部分（弁室の底部）の中央に開口した出口ポート１４とを有している。出口ポート１４は所定のポート径を有する弁ポート形状をなしている。
【００２１】
弁ハウジング１１の入口側継手ポート１８には入口管継手１５が直接取り付けられており、弁室１２内に突出する入口管継手１５の一端が入口ポート１３を構成している。弁ハウジング１１には弁室１２の外側において出口ポート１４に直接連通する出口側継手ポート１６が形成され、出口側継手ポート１６に出口管継手１７が取り付けられている。
【００２２】
弁ハウジング１１の上方開口部１１Ａは弁軸ガイド部材２０によって閉じられている。弁軸ガイド部材２０は、フランジ部２１に金属製の取付板２２をインサート成形された樹脂成形品であり、フランジ部２１が弁ハウジング１１の上方開口部１１Ａに嵌合し、取付板２２によって溶接等により弁ハウジング１１に固着されている。これにより、弁室１２は、弁ハウジング１１の円筒状の側周壁部１１Ｂと底壁部１１Ｃと弁軸ガイド部材２０のフランジ部２１とで円筒状空間を画定される。
【００２３】
弁軸ガイド部材２０は、フランジ部２１の下底部中央より弁室１２内に垂下した円筒部（筒状部）２３を有する。円筒部２３は、フランジ部２１と一体成形され、弁室１２の中心部において軸線方向（上下方向）に延在している。円筒部２３は、出口ポート１４と同心で、出口ポート１４の真上位置にある。
【００２４】
円筒部２３のストレート孔２３Ａには弁室１２内に配置された弁体（ニ一ドル弁）３０の弁軸３１が軸線方向に移動可能に嵌合している。これにより、弁体３０は、弁軸ガイド部材２０より軸線方向に移動可能に支持され、軸線方向移動によって出口ポート１４の実効開口面積を増減し、軸線方向位置に応じて流体の通過量（流量）を調節する。
【００２５】
弁ハウジング１１の上部にはステッピングモータ９０が取り付けられている。ステッピングモータ９０は、弁ハウジング１１の上方開口部１１Ａに溶接等により気密に固着されて内側にロータ室９１を画定するキャン状のロータケース９２と、ロータ室９１に回転可能に配置された多極着磁の永久磁石を外周部９３Ａに有するロータ９３と、ロータケース９２の外周部に固定装着された円環状のステータコイルユニット９４とを有する。ステータコイルユニット９４は、詳細図示を省略しているが、ステータコイル部や磁極歯等を有する一般的構造のものである。
【００２６】
ステッピングモータ９０は、ステータコイルユニット９４のステータコイル部（図示省略）に対するパルス通電により、パルス数に応じて回転角をもってロータ９３を回転させる。
【００２７】
弁軸ガイド部材２０には、フランジ部２１の上部中央より立設されてロータ室９１内に位置する雌ねじ筒部２４が一体成形されている。雌ねじ筒部２４の内筒部は円筒部２３のストレート孔２３Ａと同心連通しており、この内筒部には雌ねじ２５が形成されている。
【００２８】
弁軸３１は上部延長軸として雄ねじ軸３２を一体に有する。雄ねじ軸３２の外周部には雄ねじ３３が形成されている。雄ねじ３３は、雌ねじ２５とねじ係合し、雌ねじ２５と共働して回転運動を軸線方向の運動に変換する送りねじ機構をなす。雄ねじ軸３２は、ステッピングモータ９０のロータ９３と連結され、ロータ軸を兼ねている。
【００２９】
以上の構造は、電動式コントロールバルブ１０としての一般的構造である。
【００３０】
この実施形態の電動式コントロールバルブ１０では、弁軸ガイド部材２０に、入口ポート１３、つまり入口管継手１５より弁室１２に流入する流体に旋回流速度成分を付与するための旋回偏向案内形状部２６が一体成形されている。
【００３１】
旋回偏向案内形状部２６は、図２に示されているように、弁室１２内において入口ポート１３に対向する位置に位置する偏向障壁部２６Ａと、偏向障壁部２６Ａの下縁によって形成された底片２６Ｂとを有する。偏向障壁部２６Ａは、入口ポート１３の一側方において円筒部２３と弁ハウジング１１の側周壁部１１Ｂとの間を塞ぐように形成されて円筒部２３の外周面に連続する逆湾曲面２６Ｃを呈し、入口管継手１５より弁室１２内に流入する流体の流れ方向の一方の側においてを時計廻り方向の流れのみにする。
【００３２】
つぎに、上述の構成による電動式コントロールバルブ１０の作用について説明する。図１に示されているステータコイルユニット９４のステータコイル部（図示省略）に対してパルス通電が行われることにより、パルス数に応じて回転角をもってロータ９３が回転する。このロータ９３の回転によって雄ねじ軸３２が回転し、雄ねじ３３と固定配置の雌ねじ２５とのねじ係合によって回転運動が軸線方向の運動に変換され、弁体３０が軸線方向に移動する。
【００３３】
これにより、弁体３０の軸線方向位置が変更され、出口ポート１４の実効開口面積が増減し、弁体３０の軸線方向位置に応じて、入口管継手１５より弁室１２を経て出口管継手１７へ流れる流体の通過量（流量）が調節される。
【００３４】
入口ポート１３の入口管継手１５より弁室１２に流入する流体は、図２に示されているように、旋回偏向案内形状部２６の逆湾曲面２６Ｃに沿って矢印Ｆａのように流れ、弁室１２の中心軸線を中心とした時計廻り方向の旋回流速度成分を付与される。これにより、図１に示されているように、弁室１２内に流入した流体は全流量域において旋回流Ｆｂとなって弁ポートをなす出口ポート１４へ流れる。
【００３５】
これにより、液相と気相が混在した気液２相流が入口管継手１５より弁室１２に流入しても、旋回流Ｆｂによって弁室１２内で攪拌され、液相中の気相が細分化され、整流されて出口ポート１４へ流れる。また、旋回流Ｆｂによる遠心分離効果によって気液２相流が液相と気相に分離され、専ら液相が出口ポート１４に導入される。これらのことにより、電動式コントロールバルブ１０における流体流動音が低減する。
【００３６】
また、旋回流Ｆｂは、弁体３０を取り巻く旋回流であるから、求心効果が得られ、弁体３０を出口ポート（弁ポート）１４の中心に据えることができる。これにより弁体３０に発生する振動を抑制することができ、ひいては、振動に起因する騒音を抑制することができる。
【００３７】
上述の効果を奏する旋回偏向案内形状部２６は、樹脂成形品として弁軸ガイド部材２０に一体的に形成されているから、必要部品点数の増加を招くことなく、しかも、樹脂成形品であるから、旋回偏向案内形状部２６の形状を、全流量域において有効な旋回流Ｆｂを得るために適した形状に容易に設定することができる。
【００３８】
弁室１２内の旋回流Ｆｂは、弁室１２に対する流体の導入ポートを弁室１２の接線方向に開口する等の制約を与えることなく旋回偏向案内形状部２６によって生成されるから、弁ハウジング１１のポート位置配置に制約を与えることもない。
【００３９】
つぎに、この発明による弁装置を電動式コントロールバルブとして適用した他の実施形態を、図３、図４を参照して説明する。なお、図３、図４において、図１、図２に対応する部分は、図１、図２に付した符号と同一の符号を付けて、その説明を省略する。
【００４０】
この実施形態では、図３に示されているように、出口ポート１４は、上述の実施形態と同様に、弁室１２の底部中央に開口しているのに対し、入口ポート１３が弁室１２の底部の偏心位置に開口している。弁ハウジング１１には弁室１２の外側において入口ポート１３に直接連通する入口側継手ポート１８が形成され、入口側継手ポート１８に入口管継手１５が取り付けられている。
【００４１】
この実施形態でも、弁軸ガイド部材２０に、入口ポート１３より弁室１２に流入する流体に旋回流速度成分を付与するための旋回偏向案内形状部４１が一体成形されている。旋回偏向案内形状部４１は、図４に示されているように、入口ポート１３を内包して弁ハウジング１１の側周壁部１１Ｂとの間に旋回通路４２を形成する隔壁部４１Ａと、隔壁部４１Ａの反時計廻り方向の端部を閉じる端壁部４１Ｂとを有している。これにより、旋回通路４２は時計廻り方向の進み側の端部４２Ａにおいて弁室１２に連通している。
【００４２】
この実施形態では、入口ポート１３より弁室１２に流入する流体は、旋回通路４２に案内されて弁ハウジング１１の側周壁部１１Ｂに沿って矢印Ｆｃのように流れ、弁室１２の中心軸線を中心とした時計廻り方向の旋回流速度成分を付与される。これにより、図３に示されているように、弁室１２内に流入した流体は全流量域において旋回流Ｆｂとなって弁ポートをなす出口ポート１４へ流れる。
【００４３】
これにより、この実施形態でも、液相と気相が混在した気液２相流が入口管継手１５より弁室１２に流入しても、旋回流Ｆｂによって弁室１２内で攪拌され、液相中の気相が細分化され、整流されて出口ポート１４へ流れる。また、旋回流Ｆｂによる遠心分離効果によって気液２相流が液相と気相に分離され、専ら液相が出口ポート１４に導入される。これらのことにより、電動式コントロールバルブ１０における流体流動音が低減する。
【００４４】
また、この実施形態でも、旋回流Ｆｂは、弁体３０を取り巻く旋回流であるから、求心効果が得られ、弁体３０を出口ポート（弁ポート）１４の中心に据えることができる。これにより弁体３０に発生する振動を抑制することができ、ひいては、振動に起因する騒音を抑制することができる。
【００４５】
上述の効果を奏する旋回偏向案内形状部４１は、樹脂成形品として弁軸ガイド部材２０に一体的に形成されているから、必要部品点数の増加を招くことなく、しかも、樹脂成形品であるから、旋回偏向案内形状部４１の形状を、全流量域において有効な旋回流Ｆｂを得るために適した形状に容易に設定することができる。
【００４６】
また、弁室１２内の旋回流Ｆｂは、弁室１２に対する流体の導入ポートを弁室１２の接線方向に開口する等の制約を与えることなく旋回偏向案内形状部４１によって生成されるから、弁ハウジング１１のポート位置配置に制約を与えることもない。
【００４７】
つぎに、この発明による弁装置を電動式コントロールバルブとして適用した他の実施形態を、図５〜図８を参照して説明する。なお、図５〜図８においても、図１、図２に対応する部分は、図１、図２に付した符号と同一の符号を付けて、その説明を省略する。
【００４８】
この実施形態では、図５及び図６に示されているように、出口ポート１４は、弁ハウジング１１に固着された弁座部材１９に形成され、弁室１２の底部中央に開口している。入口ポート１３は弁ハウジング１１の側周壁部１１Ｂに開口している。
【００４９】
この実施形態でも、弁軸ガイド部材２０に、入口ポート１３より弁室１２に流入する流体に旋回流速度成分を付与するための旋回偏向案内形状部５１が一体成形されている。旋回偏向案内形状部５１は、図７及び図８に示されているように、入口ポート１３に対向する箇所に位置する偏向部５１Ａと、弁軸ガイド部材２０の円筒部２３と弁ハウジング１１の側周壁部１１Ｂとの間の環状空間部にあって弁室１２を底部側領域１２Ａと当該底部側領域１２Ａより上位の上部側領域１２Ｂとに区分する上向きの螺旋隔壁部５１Ｂとを有し、螺旋隔壁部５１Ｂの一部（弁ハウジング１１の側周壁部１１Ｂに臨む部分）に上部側領域１２Ｂと底部側領域１２Ａとを連通する開口部５１Ｃが設けられている。
【００５０】
偏向部５１Ａは、入口ポート１３との対向壁５１Ａａと、上部壁５１Ａｂと、端部壁５１Ａｃにより囲まれ、入口ポート１３より弁室１２に流入する流体を、矢印Ｆｄ（図７、図８参照）で示されているように、螺旋隔壁部５１Ｂの下位側始端部５１Ｂａへ導く。
【００５１】
螺旋隔壁部５１Ｂは、下位側始端部５１Ｂａより弁軸ガイド部材２０の円筒部２３の外周を時計廻り方向に取り巻いて上向きに傾斜した螺旋上面５１Ｂｂを有し、偏向部５１Ａの上部壁５１Ａｂに連続している。
【００５２】
開口部５１Ｃは、弁ハウジング１１の側周壁部１１Ｂに臨む螺旋隔壁部５１Ｂの上位側終端部５１Ｂｃ側部分に設けられている。
【００５３】
この実施形態では、入口ポート１３の入口側より弁室１２に流入する流体（液相と気相が混在した気液２相流）は、偏向部５１Ａによって、矢印Ｆｄ（図７、図８参照）で示されているように、螺旋隔壁部５１Ｂの下位側始端部５１Ｂａへ導かれる。そして、弁室１２の上部側領域１２Ｂにおいて、弁ハウジング１１の側周壁部１１Ｂに沿って螺旋隔壁部５１Ｂの螺旋上面５１Ｂｂに案内されて円筒部２３の周りを時計廻り方向の旋回流としてへ流れる。
【００５４】
この旋回流の流速によって、弁室１２内を回転（旋回）する流れに遠心力が働き、遠心分離作用により、密度の高い液相は弁室１２の中で弁ハウジング１１の側周壁部１１Ｂ側に寄せられ、気相は弁室１２の中で弁ハウジング１１の中心側へ集まる。弁室１２の中で弁ハウジング１１の側周壁部１１Ｂ側に寄せられた液相流Ｆｅの液体の一部は開口部５１Ｃを通って弁室１２の底部側領域１２Ａへ流れ落ち、残りは気相と共に旋回流Ｆｆとして、弁室１２の上部側領域１２Ｂにおいて円筒部２３の周りを旋回し続ける。
【００５５】
この構造により、気相と液相が混在した気液２相流の気液分離が行われ、ほとんど液相である流体が弁室１２の底部側領域１２Ａより出口ポート１４へ流れることになる。つまり、専ら液相が出口ポート１４が導入されることになり、電動式コントロールバルブ１０における流体流動音が低減する。
【００５６】
この実施形態でも、上述の効果を奏する旋回偏向案内形状部５１は、樹脂成形品として弁軸ガイド部材２０に一体的に形成されているから、必要部品点数の増加を招くことなく、しかも、樹脂成形品であるから、旋回偏向案内形状部５１の形状を、全流量域において有効な旋回流を得るために適した形状に容易に設定することができる。
【００５７】
また、弁室１２内の旋回流は、弁室１２に対する流体の導入ポートを弁室１２の接線方向に開口する等の制約を与えることなく旋回偏向案内形状部５１によって生成されるから、弁ハウジング１１のポート位置配置に制約を与えることもない。
【００５８】
つぎに、この発明による弁装置を電動式コントロールバルブとして適用した他の実施形態を、図９、図１０を参照して説明する。なお、図９、図１０においても、図１、図２に対応する部分は、図１、図２に付した符号と同一の符号を付けて、その説明を省略する。
【００５９】
この実施形態では、図９に示されているように、更に、出口ポート１４の内周面に、旋回流生成用の突起部として、板状の旋回流生成用羽根６１が突出形成されている。旋回流生成用羽根６１は出口ポート１４の軸線に対して傾斜している。
【００６０】
出口ポート１４の内周面に旋回流生成用羽根６１が形成されていることにより、出口ポート１４を通過する流体に旋回流速度成分が与えられ、出口ポート１４を流れる流体は、出口ポート１４内を旋回しながら流れることになる。
【００６１】
これにより、出口ポート１４を流れる流体が気液２相流であっても、液相中の気相が細分化され、整流されて出口ポート１４を流れ、電動式コントロールバルブ１０における流体流動音が更に低減する。この効果は、逆流使用で、図９中に矢印でに示されているように、出口ポート１４より入口ポート１３へ向けて流体が流れる場合でも得られる。
【００６２】
なお、出口ポート１４の内周面に設ける旋回流生成用の突起部は、旋回流生成用羽根６１のような板状のものに限られることはなく、図１１、図１２に示されているような半球状突起６２であってもよい。
【００６３】
また、旋回流生成用羽根６１のような旋回流生成用の突起部は、図１３、図１４に示されているように、出口ポート１４に接続される出口管継手１７の内周面に設けてもよい。
【００６４】
そして、出口ポート１４の内周面に設ける旋回流生成用の突起部を半球状突起６２とした場合も、旋回流生成用羽根６１のような旋回流生成用の突起部を出口管継手１７の内周面に設けた場合も、出口ポート１４を流れる流体中の気相が細分化、整流されて出口ポート１４を流れ、電動式コントロールバルブ１０における流体流動音が更に低減する、という効果は、逆流使用で、図１１及び図１３中に矢印でに示されているように、出口ポート１４より入口ポート１３へ向けて流体が流れる場合でも得られる。
【００６５】
つぎに、この発明による弁装置を電動式コントロールバルブとして適用した他の実施形態を、図１５を参照して説明する。なお、図１５においても、図１、図２に対応する部分は、図１、図２に付した符号と同一の符号を付けて、その説明を省略する。
【００６６】
この実施形態では、弁ハウジング１１の底壁部１１Ｃに、出口ポート１４と並列の流路関係で、出口ポート１４の通路横断面積より小さい通路横断面積のバイパス通路７１が形成されている。
【００６７】
そして、バイパス通路７１には整流消音部材７２が嵌め込まれている。整流消音部材７２としては、多孔質材である発泡金属、積層メッシュのストレーナ、焼結金属、ＭＩＭ、発泡高分子材料等がある。
【００６８】
弁体３０による出口ポート１４の開度が微少から中間開度にかけて出口ポート１４の開口面積や弁前後の圧力差などの所定の条件が満されると、流体振動現象が発生し、騒音の原因となるが、この実施形態のように、出口ポート１４の付近に整流した流体のバイパス通路７１があり、整流消音部材７２が設けられていることにより、振動が緩和され、この流体振動現象による騒音も低減される。
【００６９】
なお、整流消音部材７２はバイパス通路７１を埋めるように設けられていなくてよく、図１６に示されているように、バイパス通路７１の入出口を覆うように出口側継手ポート１６に設けられていても、図１７に示されているように、弁室１２の下底面部に設けられていてもよい。
【００７０】
バイパス通路７１は、図１８に示されているように、等価のバイパス通路７３、７４として、弁体３０に形成されていてもよい。この場合、バイパス通路７３に整流消音部材７２が設けられればよい。また、整流消音部材７２は、図１９に示されているように、バイパス通路７４の入出口を覆うように、弁軸３１の外周部に装着されていてもよい。
【００７１】
また、図２０に示されているように、出口ポート（弁ポート）１４を画定する弁座部材７５を、発泡金属、積層メッシュのストレーナ、焼結金属、ＭＩＭ、発泡高分子材料による多孔質の整流消音材により構成し、弁座部材７５自体を、バイパス通路７１と等価のバイパス通路としてもよい。また、図２１に示されているように、弁体３０、弁軸３１の一部を整流消音材により構成してもよい。
【００７２】
なお、何れの実施形態でも、上方から見たときに時計廻り方向の旋回流れとなる。時計周りを選択したのは、北半球での渦の流れがこの方向であるからである。南半球用の仕様に反時計廻り方向としてもよい。
【００７３】
次に、この発明による冷凍サイクル装置の一つの実施形態を、図２２を参照して説明する。
【００７４】
この実施形態による冷凍サイクル装置は、圧縮機１０１と、凝縮器（室外熱交換器）１０２と、膨張弁１０３と、蒸発器（室内熱交換器）１０４と、これらをループ接続する冷媒通路１０５〜１０８とを有する。
【００７５】
この冷凍サイクル装置は、空気調和装置（冷房）や冷凍・冷蔵庫等で使用される。
【００７６】
膨張弁１０３としては、上述したこの発明による電動式コントロールバルブ１０が用いられる。
【００７７】
なお、上述したこの電動式コントロールバルブが適用される冷凍サイクル装置は、図２２に示されているような基本的な冷凍サイクル装置に限られることはなく、四方弁の組み込みにより、冷媒回路における冷媒流れ方向を逆転できる冷房・暖房用の空気調和装置や、室内機に二つの熱交換器が直列接続され、その二つの熱交換器間に追加の膨張弁を有する冷暖房・除湿可能な空気調和装置等、あらゆる冷凍サイクル装置にも適用可能である。
【図面の簡単な説明】
【００７８】
【図１】この発明による弁装置を電動式コントロールバルブとして適用した一つの実施形態を示す縦断面図である。
【図２】図１の線Ａ−Ａに沿った断面図である。
【図３】この発明による弁装置を電動式コントロールバルブとして適用した他の実施形態を示す縦断面図である。
【図４】図３の線Ｂ−Ｂに沿った断面図である。
【図５】この発明による弁装置を電動式コントロールバルブとして適用した他の実施形態を示す縦断面図である。
【図６】この発明による弁装置を電動式コントロールバルブとして適用した他の実施形態を示すもう一つの縦断面図である。
【図７】他の実施形態による電動式コントロールバルブの要部の斜視図である。
【図８】他の実施形態による電動式コントロールバルブの要部のもう一つの斜視図である。
【図９】この発明による弁装置を電動式コントロールバルブとして適用した他の実施形態を示す縦断面図である。
【図１０】図９の線Ｃ−Ｃに沿った断面図である。
【図１１】他の実施形態による電動式コントロールバルブの要部の縦断面図である。
【図１２】図１１の線Ｄ−Ｄに沿った断面図である。
【図１３】他の実施形態による電動式コントロールバルブの要部の縦断面図である。
【図１４】図１３の線Ｅ−Ｅに沿った断面図である。
【図１５】この発明による弁装置を電動式コントロールバルブとして適用した他の実施形態を示す縦断面図である。
【図１６】他の実施形態による電動式コントロールバルブの要部の縦断面図である。
【図１７】他の実施形態による電動式コントロールバルブの要部の縦断面図である。
【図１８】他の実施形態による電動式コントロールバルブの要部の縦断面図である。
【図１９】他の実施形態による電動式コントロールバルブの要部の縦断面図である。
【図２０】他の実施形態による電動式コントロールバルブの要部の縦断面図である。
【図２１】他の実施形態による電動式コントロールバルブの要部の縦断面図である。
【図２２】この発明による冷凍サイクル装置の一つの実施形態を示す冷媒回路図である。
【符号の説明】
【００７９】
１０  電動式コントロールバルブ
１１  弁ハウジング
１１Ａ  上方開口部
１１Ｂ  側周壁部
１１Ｃ  底壁部
１２  弁室
１２Ａ  底部側領域
１２Ｂ  上部側領域
１３  入口ポート
１４  出口ポート
１５  入口管継手
１６  出口側継手ポート
１７  出口管継手
１８  入口側継手ポート
１９  弁座部材
２０  弁軸ガイド部材
２１  フランジ部
２２  取付板
２３  円筒部
２３Ａ  ストレート孔
２４  雌ねじ筒部
２５  雌ねじ
２６  旋回偏向案内形状部
２６Ａ  偏向障壁部
２６Ｂ  底片
２６Ｃ  逆湾曲面
３０  弁体
３１  弁軸
３２  雄ねじ軸
３３  雄ねじ
４１  旋回偏向案内形状部
４１Ａ  隔壁部
４１Ｂ  端壁部
４２  旋回通路
４２Ａ  進み側端部
５１  旋回偏向案内形状部
５１Ａ  偏向部
５１Ａａ  対向壁
５１Ａｂ  上部壁
５１Ａｃ  端部壁
５１Ｂ  螺旋隔壁部
５１Ｂａ  下位側始端部
５１Ｂｂ  螺旋上面
５１Ｂｃ  上位側終端部
５１Ｃ  開口部
６１  旋回流生成用羽根
６２  半球状突起
７１  バイパス通路
７２  整流消音部材
７３、７４  バイパス通路
７５  弁座部材
９０  ステッピングモータ
９１  ロータ室
９２  ロータケース
９３  ロータ
９３Ａ  外周部
９４  ステータコイルユニット
１０１  圧縮機
１０２  凝縮器
１０３  膨張弁
１０４  蒸発器
１０５〜１０８  冷媒通路
【図１】
2006071186.tif 000003
【図２】
2006071186.tif 000004
【図３】
2006071186.tif 000005
【図４】
2006071186.tif 000006
【図５】
2006071186.tif 000007
【図６】
2006071186.tif 000008
【図７】
2006071186.tif 000009
【図８】
2006071186.tif 000010
【図９】
2006071186.tif 000011
【図１０】
2006071186.tif 000012
【図１１】
2006071186.tif 000013
【図１２】
2006071186.tif 000014
【図１３】
2006071186.tif 000015
【図１４】
2006071186.tif 000016
【図１５】
2006071186.tif 000017
【図１６】
2006071186.tif 000018
【図１７】
2006071186.tif 000019
【図１８】
2006071186.tif 000020
【図１９】
2006071186.tif 000021
【図２０】
2006071186.tif 000022
【図２１】
2006071186.tif 000023
【図２２】
2006071186.tif 000024